(57)【特許請求の範囲】
【請求項１】
空気吸込口が設けられ筐体の下面中央に配置された吸込グリルと、空気吹出口が設けられ前記吸込グリルの周囲に位置するように配置された化粧パネルとを有し、前記化粧パネルは、前記空気吹出口を囲む内枠部と外枠部を備えた天井埋込型空気調和機において、
前記外枠部の内壁に、前記空気吹出口の方向に先端が突出する形状のリブが、前記空気吹出口の空気流通方向に直交する方向に沿って設けられ、
前記リブは、前記化粧パネルの前記外枠部の内壁の上端に前記外枠部と一体形成されていることを特徴とする天井埋込型空気調和機。
【請求項２】
請求項１に記載の天井埋込型空気調和機において、
前記リブの前記先端と前記内枠部の内壁の上端との間の間隔が、前記内枠部の内壁の下端と前記外枠部の内壁の下端との間の間隔よりも短く設定されていることを特徴とする天井埋込型空気調和機。
【発明の詳細な説明】
【技術分野】
【０００１】
本発明は、室内の天井に埋め込んで設置される天井埋込型空気調和機に関する。
【背景技術】
【０００２】
天井埋込型空気調和機２００は、一般的に、図２〜図５に示すように構成されている（例えば、特許文献１）。１０は板金製の直方体形状の筐体であり、上面部が上板１１で閉じられ左右前後が側板１２で閉じられ下面部が開放されている。この筐体１０は、内側に断熱材２０が取り付けられ、側板１２の外側に取り付けられたフック３０が吊り金具によって天井梁等に吊り下げられる。この筐体１０の上板１１の内側にはモータ４０が取り付けられ、このモータ４０の出力軸４１にターボファン５０が結合している。６０は上面部からみた形状が四角い筒形状の熱交換器、７０はその熱交換器６０で生じる結露水を受け止めるドレンパンである。８０は化粧パネルであり、空気吹出口９０が図２、図３に示すように各辺に独立して合計で４個設けられている。１００は吸込空気をターボファン５０にガイドするベルマウス、１１０はフィルタ、１２０は空気吸込口１３０が設けられた吸込グリル、１４０は吹出空気の吹出方向を調整する風向調整板である。１５０は天井埋込型空気調和機２００が取り付けられる天井板である。
【０００３】
化粧パネル８０の空気吹出口９０は下面からみて長方形の形状であり、内側の長辺は吸込グリル１２０が取り付けられる側の内枠部８１となり、外側の長辺は筐体１０の側壁１２に取り付けられる側の外枠部８２となっている。
【０００４】
そして、図５に示すように、内枠部８１の空気吹出口９０に面する内壁８１ａには下部が外側に張り出した湾曲面部８１ａ１が形成されている。また、外枠部８２の空気吹出口９０に面する内壁８２ａの上部には垂直面部８２ａ１が形成され、下部にはその垂直面部８１ａ１に連続するように外側に曲がった突曲面部８２ａ２が形成されている。
【０００５】
この天井埋込型空気調和機２００では、吸込グリル１２０の空気吸込口１３０からターボファン５０によって吸い込まれた室内の空気が、熱交換器６０の内側から外側に通過して冷媒と熱交換され、筐体１０の側板１２の内側の断熱材２０の部分で９０度下方向に進路を曲げられ、化粧パネル８０の空気吹出口９０から室内に吹き出される。このとき、風向調整板１４０の向きを調整することにより、空気の吹出方向を調整することができる。
【０００６】
空気吹出口９０では、化粧パネル８０の内枠部８１の湾曲面部８１ａによって吹出空気が外側方向に進路を曲げて吹き出される。また、この吹き出し時に外枠部８２の突曲面部８２ｂによってその吹出空気が外側方向にガイドされる。よって、空気吹出口９０から吹き出される空気は、空気吸込口１３０と反対方向に吹き出され、吹き出された空気が空気吸込口１００に還流するいわゆるショートサーキットの防止が図られている。
【先行技術文献】
【特許文献】
【０００７】
【特許文献１】特開２００１−１９４０００号公報
【発明の概要】
【発明が解決しようとする課題】
【０００８】
ところが、化粧パネル８０の内枠部８１の湾曲面部８１ａ１と外枠部８２の垂直面部８２ａ１や突曲面部８２ａ２との間の間隔を大きくして空気吹出口９０の断面積を大きくすると、通風抵抗が低下するので風量が増大する利点があるものの、風速が低下するので、内枠部８１と外枠パネル８２によって外側に風をガイドする効果が低下し、ショートサーキットの防止効果が不十分となっていた。
【０００９】
本発明の目的は、空気吹出口における風量増大を実現でき且つ風速を向上させてショートサーキットの防止効果を大きくした天井埋込型空気調和機を提供することである。
【課題を解決するための手段】
【００１０】
上記目的を達成するために、請求項１にかかる発明は、空気吸込口が設けられ筐体の下面中央に配置された吸込グリルと、空気吹出口が設けられ前記吸込グリルの周囲に位置するように配置された化粧パネルとを有し、前記化粧パネルは、前記空気吹出口を囲む内枠部と外枠部を備えた天井埋込型空気調和機において、前記外枠部の内壁に、前記空気吹出口の方向に先端が突出する形状のリブが、前記空気吹出口の空気流通方向に直交する方向に沿って設けられ、前記リブは、前記化粧パネルの前記外枠部の内壁の上端に前記外枠部と一体形成されていることを特徴とする。
【００１１】
請求項２にかかる発明は、請求項１に記載の天井埋込型空気調和機において、前記リブの前記先端と前記内枠部の内壁の上端との間の間隔が、前記内枠部の内壁の下端と前記外枠部の内壁の下端との間の間隔よりも短く設定されていることを特徴とする。
【発明の効果】
【００１３】
本発明によれば、空気吹出口の断面積を大きくして風量増大を図ったときでも、化粧パネルの外枠部の内壁に設けられたリブが、空気吹出口の絞りとして機能するので、当該絞りの部分の風速を高速化できる。特に本発明ではリブが、化粧パネルの空気吹出口の一部を形成する外枠部の内壁に設けられるでの、吹出空気の風速増大の効果が大きくなる。これにより、空気吹出口から吹き出される空気が吸込グリルから離れる方向に吹き出され、ショートサーキットの発生が効果的に防止される。また、このリブを化粧パネルに一体的に形成することにより、リブの位置ずれが生じることはなく、その形成が容易であり、化粧パネルの剛性を高めることもできる。
【図面の簡単な説明】
【００１４】
【図１】本発明の天井埋込型空気調和機の空気吹出口付近の部分拡大図である。
【図２】従来の天井埋込型空気調和機の斜視図である。
【図３】従来の天井埋込型空気調和機の下面図である。
【図４】従来の天井埋込型空気調和機の断面部図である。
【図５】従来の天井埋込型空気調和機の空気吹出口付近の部分拡大図である。
【発明を実施するための形態】
【００１５】
図１に本発明の実施例の天井埋込型空気調和機の空気吹出口付近の部分拡大図を示す。本実施例が図２〜図５で説明した従来例と異なるところは、空気吹出口９０の周囲の一部を構成する化粧パネル８０の外枠部８２の内壁８２ａの上部の垂直面部８２ａ１の上端に、空気吹出口９０の方向に先端が突出する形状のリブ８２ａ３が、空気吹出口９０を通過する吹出空気の流通方向に直交する方向に沿って、一方の端から他方の端に亘って、一体的に形成されている点である。
【００１６】
そして、そのリブ８２ａ３の先端と内枠部８１の内壁８１ａの上端８１ａ３との間の距離Ａが、外枠パネル８２の内壁８２ａの突曲面部８２ａ２と内枠部８１の内壁８１ａの下端８１ａ２との間の距離Ｂに対して、Ａ＜Ｂとなるように、そのリブ８２ａ３の垂直面部８２ａ１からの突出長さが、例えば５ｍｍに設定されている。
【００１７】
このようにリブ８２ａ３を設けてＡ＜Ｂとなるように設定すれば、そのリブ８２ａ３が空気吹出口９０の絞りの役目を果たして、筐体１０の側板１２の内側の断熱材２０を伝わって空気吹出口９０の方向に流れる空気が、リブ８２ａ３の部分で内側に寄せられる。
【００１８】
これにより、空気吹出口９０の断面積を大きくして風量増大を図ったときでも、外枠部８２の垂直面部８２ａ１や突曲面部８２ａ２に沿って流れる空気の流速が、内枠部８１の湾曲面部８１ａ１に沿って流れる空気流の流速よりも高くなり、内枠部８１の側の空気の流れがこの外枠部８２の側の流れによるコアンダー効果によって引かれるので、空気吹出口９０から吹き出される空気が空気吸込口１３０から遠ざかる方向に流れる。
【００１９】
よって、その空気吸込口１３０に還流する空気が無くなり、ショートサーキットの発生を効果的に防止することができる。
【符号の説明】
【００２０】
１０：筐体、１１：上板、１２：側板
２０：断熱材
３０：フック
４０：モータ、４１：出力軸
５０：ターボファン
６０：熱交換器
７０：ドレンパン
８０：化粧パネル、８１：内枠部、８１ａ：内壁、８１ａ１：湾曲面部、８１ａ２：下端、８１ａ３：上端、８２：外枠部、８２ａ：内壁、８２ａ１：垂直面部、８２ａ２：突曲面部、８２ａ３：リブ
９０：空気吹出口
１００：ベルマウス
１１０：フィルタ
１２０：吸込グリル
１３０：空気吸込口
１４０：風向調整板
１５０：天井板
【図１】
0006403012.tif 000002
【図２】
0006403012.tif 000003
【図３】
0006403012.tif 000004
【図４】
0006403012.tif 000005
【図５】
0006403012.tif 000006